(57)【要約】【課題】視覚的な方法で探索を行うことが可能となる携帯端末およびその探索方法を提供することを目的とする。  【解決手段】発光部と、所定のリモートコマンドを受信する通信部と、前記発光部と通信部とを制御する制御部とを備え、前記制御部は、前記通信部が前記リモートコマンドを受信すると、当該リモートコマンドに基づいて発光部に作動させる。【選択図】図１
2008252274.tif 000002
【特許請求の範囲】
【請求項１】
発光部と、
所定のリモートコマンドを受信する通信部と、
前記発光部と通信部とを制御する制御部とを備え、
前記制御部は、前記通信部が前記リモートコマンドを受信すると、当該リモートコマンドに基づいて発光部に作動させる、ことを特徴とする携帯端末。
【請求項２】
前記発光部を覆うカバーの保持状態を解除する保持解除部と、をさらに備え、
前記制御部は、前記リモートコマンドに基づいて前記保持解除部に前記カバーの保持状態の解除を行わせることを特徴とする請求項１記載の携帯端末。
【請求項３】
前記保持解除部は、前記カバーの保持状態を維持させる永久磁石の磁力を相殺する磁力を電磁石に発生させることによりカバーの保持状態を解除させる、ことを特徴とする請求項２記載の携帯端末。
【請求項４】
前記保持解除部は、前記カバーの保持状態を維持させる電磁石の磁力を停止させることによりカバーの保持状態を解除させる、ことを特徴とする請求項２記載の携帯端末。
【請求項５】
筐体を振動させるバイブレータと、をさらに備え、
前記制御部は、前記リモートコマンドに基づいて前記バイブレータを作動させる、ことを特徴とする請求項２〜４のいずれか一項に記載の携帯端末。
【請求項６】
前記発光部は、ＬＥＤ（Light Emitting Diode）であることを特徴とする請求項１〜５のいずれか一項に記載の携帯端末。
【請求項７】
前記発光部は、ディスプレイであることを特徴とする請求項１〜５のいずれか一項に記載の携帯端末。
【請求項８】
前記発光部は、ＬＥＤ及びディスプレイであることを特徴とする請求項１〜５のいずれか一項に記載の携帯端末。
【請求項９】
前記リモートコマンドは、回線交換網の着信信号に含まれる着サブアドレスであることを特徴とする請求項１〜８のいずれか一項に記載の携帯端末。
【請求項１０】
前記リモートコマンドは、受信メールに含まれる特定コードであることを特徴とする請求項１〜８のいずれか一項に記載の携帯端末。
【請求項１１】
携帯端末にリモートコマンドを送信することにより発光させることを特徴とする携帯端末の探索方法。
【発明の詳細な説明】
【技術分野】
【０００１】
本発明は、携帯電話やＰＨＳ（Personal Handy-phone System）等の携帯端末及びその探索方法に関する。
【背景技術】
【０００２】
下記特許文献１には、マナーモード機能を有効にした状態で紛失した携帯端末を、探索するために使用する機能が開示されている。具体的には、マナーモード機能が有効である紛失端末に、所定の電話番号を所持する携帯端末、電話等から発呼を行い、所定回数着信を行うことで、マナーモード機能の解除を行い、最大音量による着信音の鳴動と、ＬＥＤ点灯を繰り返し行うことが記載されている。
【特許文献１】特開２００５−５７７１１号公報
【発明の開示】
【発明が解決しようとする課題】
【０００３】
ところで、上記従来の紛失端末の探索方法には以下のような問題点がある。すなわち、携帯端末の探索に、ＬＥＤを点灯させ探索の手がかりとし利用しているが、単純に点灯を行わせているだけで、必ずしも発見のためのアピールとしては十分ではなく、視覚的な方法で探索を行うには、あまり効果が期待できない。
【０００４】
本発明は、上述した事情を鑑みてなされたものであり、ＬＥＤを単純に点灯させるだけではなく、発見するためのアピールを十分に行い、より効果的に視覚的な方法で探索を行うことが可能となる携帯端末およびその探索方法を提供することを目的とする。
【課題を解決するための手段】
【０００５】
上記目的を達成するために、本発明では、携帯端末に係る第１の解決手段として、
発光部と、
所定のリモートコマンドを受信する通信部と、
前記発光部と通信部とを制御する制御部とを備え、
前記制御部は、前記通信部が前記リモートコマンドを受信すると、当該リモートコマンドに基づいて発光部に作動させる、という手段を採用する。
【０００６】
本発明では、携帯端末に係る第２の解決手段として、上記第１の解決手段において、
前記発光部を覆うカバーの保持状態を解除する保持解除部と、をさらに備え、
前記制御部は、前記リモートコマンドに基づいて前記保持解除部に前記カバーの保持状態の解除を行わせる、という手段を採用する。
【０００７】
本発明では、携帯端末に係る第３の解決手段として、上記第２の解決手段において、
前記保持解除部は、前記カバーの保持状態を維持させる永久磁石の磁力を相殺する磁力を電磁石に発生させることによりカバーの保持状態を解除させる、という手段を採用する。
【０００８】
本発明では、携帯端末に係る第４の解決手段として、上記第２の解決手段において、
前記保持解除部は、前記カバーの保持状態を維持させる電磁石の磁力を停止させることによりカバーの保持状態を解除させる、という手段を採用する。
【０００９】
本発明では、携帯端末に係る第５の解決手段として、上記第２〜第４のいずれかの解決手段において、筐体を振動させるバイブレータと、をさらに備え、前記制御部は、前記リモートコマンドに基づいて前記バイブレータを作動させる、という手段を採用する。
【００１０】
本発明では、携帯端末に係る第６の解決手段として、上記第１〜第５のいずれかの解決手段において、前記発光部は、ＬＥＤ（Light Emitting Diode）である、という手段を採用する。
【００１１】
本発明では、携帯端末に係る第７の解決手段として、上記第１〜第５のいずれかの解決手段において、前記発光部は、ディスプレイである、という手段を採用する。
【００１２】
本発明では、携帯端末に係る第８の解決手段として、上記第１〜第５の解決手段において、前記発光部は、ＬＥＤ及びディスプレイである、という手段を採用する。
【００１３】
本発明では、携帯端末に係る第９の解決手段として、上記第１〜第８のいずれかの解決手段において、前記リモートコマンドは、回線交換網の着信信号に含まれる着サブアドレスである、という手段を採用する。
【００１４】
本発明では、携帯端末に係る第１０の解決手段として、上記第１〜第９のいずれかの解決手段において、前記リモートコマンドは、受信メールに含まれる特定コードである、という手段を採用する。
【００１５】
また、本発明では、携帯端末の探索方法の解決手段として、携帯端末にリモートコマンドを送信することにより発光させる、という手段を採用する。
【発明の効果】
【００１６】
本発明によれば、携帯端末は、リモートコマンドに基づいて、発光部を覆うカバーの保持状態を解除し、筐体を振動させることでカバーを取り外し、その上で発光部を作動させるため、携帯端末を発見するためのアピールを十分に行うことができ、効果的に視覚的な方法で探索を行うことが可能となる。
【発明を実施するための最良の形態】
【００１７】
以下、図面を参照して、本発明の一実施形態について説明する。本実施形態は、携帯端末の一種であるＰＨＳ端末に関する。
【００１８】
図１は、本実施形態に係るＰＨＳ端末Ａの機能構成を示すブロック図である。この図１に示す通り、ＰＨＳ端末Ａは、通信部１、操作部２、電磁石３Ａ，３Ｂ、バイブレータ４、液晶ディスプレイ５、ＬＥＤ６Ａ，６Ｂ，６Ｃ及び制御部７を備えている。また、電磁石３Ａ，３Ｂは保持解除部を構成し、液晶ディスプレイ５及びＬＥＤ６Ａ，６Ｂ，６Ｃは発光部８を構成している。また、図２は、本ＰＨＳ端末Ａの外観構成を示す模式図である。
【００１９】
通信部１は、ＰＨＳ基地局等を介して音声信号や電子メールの送受信を外部通信機器と行うものである。上記音声信号の１つに周知の音声着信信号があるが、通信部１は、この音声着信信号に着サブアドレスが含まれている場合には、当該着サブアドレスを制御部７に出力する。
操作部２は、電源キー、各種ファンクションキー、テンキー等の各種操作キーから構成されており、これらの操作キーに対するユーザの操作指示を制御部７に出力する。
【００２０】
ここで、本ＰＨＳ端末Ａは、図２に示すように、２つの部分筐体９，１０がヒンジ１１によって開閉自在に接続された折りたたみ型であり、折りたたまれた際に外側となる面を表面側、操作部２及び液晶ディスプレイ５が設けられ折りたたまれた際に内側となる面を背面側とした場合、液晶ディスプレイ５が設けられた部分筐体９の表面側にはＬＥＤ６Ａが、また操作部２が設けられた部分筐体１０の表面側にはＬＥＤ６Ｂがそれぞれ設けられている。また、操作部２の背後（部分筐体１０の内部側）には、操作部２を背後から照明するＬＥＤ６Ｃが設けられている。
【００２１】
また、上記部分筐体９にはＬＥＤ６Ａを覆うように装飾カバー１２Ａが、また上記部分筐体１０にはＬＥＤ６Ｂを覆うように装飾カバー１２Ｂが、永久磁石（図示略）の磁力によって着脱自在にそれぞれ取り付けられている。
【００２２】
電磁石３Ａ，３Ｂは、部分筐体１０において上記永久磁石に符合する位置に設けられており、制御部７による制御の下に永久磁石の磁力を打ち消す磁力を発生する。すなわち、電磁石３Ａは、制御部７による制御の下に、各部分筐体９に装着された装飾カバー１２Ａの保持状態を強制的に解除するためのものであり、電磁石３Ｂは、制御部７による制御の下に、各部分筐体１０に装着された装飾カバー１２Ｂの保持状態を強制的に解除するためのものである。
バイブレータ４は、制御部７による制御の下に、本ＰＨＳ端末Ａを強制振動させるものである。
【００２３】
液晶ディスプレイ５は、バックライトを備えたものであり、制御部７による制御の下に、電話番号やメール等の各種表示を行う。また、この液晶ディスプレイ５は、本ＰＨＳ端末Ａの所在を外部に報知するために、制御部７による制御の下にバックライトを最大輝度で発光させる。ＬＥＤ６Ａ，６Ｂ，６Ｃは、制御部７による制御の下に、音声着信やメールの受信をユーザに報知する。また、このＬＥＤ６Ａ，６Ｂ，６Ｃは、本ＰＨＳ端末Ａの所在を外部に報知するために、制御部７による制御の下に最大輝度で発光する。
【００２４】
制御部６は、ＣＰＵ、ＲＯＭ及びＲＡＭから構成される内部メモリ及び上記通信部１、操作部２、電磁石３Ａ，３Ｂ、バイブレータ４、液晶ディスプレイ５及び各ＬＥＤ６Ａ，６Ｂ，６Ｃと信号の授受を行うインタフェース回路等から構成されており、上記制御プログラム及び通信部１が受信するリモートコマンド等に基づいて通信部１、操作部２、電磁石３Ａ，３Ｂ、バイブレータ４、液晶ディスプレイ５及び各ＬＥＤ６Ａ，６Ｂ，６Ｃを制御する。
【００２５】
次に、このように構成された本ＰＨＳ端末Ａの探索方法について、図３のフローチャート及び図４の模式図を参照して詳しく説明する。
最初に、本ＰＨＳ端末Ａの所在を探索しようとするユーザは、例えばＰＨＳ端末Ｂを操作することにより、ＰＨＳ端末Ａの所在を探索するための発光（探索発光）を指示する特定の着サブアドレス（リモートコマンド）を付加した発呼をＰＨＳ端末Ａに対して行う（図４参照）。
【００２６】
この結果、ＰＨＳ端末Ａの通信部１は、上記発呼に基づく着サブアドレス付の音声着信信号を受信し、当該着サブアドレスを制御部７に出力する。制御部７は、通信部１から入力された着サブアドレスが探索発光を指示する特定の着サブアドレスであるか否かを判断する（ステップＳ１）。
なお、着サブアドレスは、発信先電話番号の後ろに「＊」を区切り符号として付加される所定桁数の番号であり、ＩＳＤＮ(Integrated Services Digital Network)や当該ＩＳＤＮを利用するＰＨＳで使用可能なものである。
【００２７】
上記ステップＳ1の判断が「Ｙｅｓ」の場合、制御部７は、電磁石３Ａ，３Ｂに制御指令を出力する（ステップＳ２）。この結果、電磁石３Ａ，３Ｂが磁力を発生して装飾カバー１２Ａ，１２Ｂの永久磁石の磁力を相殺するので、電磁石３Ａ，３Ｂは、保持状態が解除される。制御部７は、装飾カバー１２Ａ，１２Ｂの保持解除が完了すると、バイブレータ４に制御指令を出力し（ステップＳ３）、本ＰＨＳ端末Ａを強制振動させる。この結果、保持状態が解除された装飾カバー１２Ａ，１２Ｂは、部分筐体９，１０から乖離してＬＥＤ６Ａ，６Ｂが露出状態となる。そして、制御部７は、この状態において、全ＬＥＤ６Ａ，６Ｂ，６Ｃを最大輝度で発光させ（ステップＳ４）、液晶ディスプレイ５のバックライトを最大光量で発光させる（ステップＳ５）、さらにスピーカ（図示略）に信号を出力して着信音を鳴動させる（ステップＳ６）。
【００２８】
このような本実施形態によれば、ＰＨＳ端末Ｂのユーザは、探索対象であるＰＨＳ端末Ａにリモートコマンドを送信することによりＰＨＳ端末ＡのＬＥＤ６Ａ，６Ｂ，６Ｃを覆う装飾カバー１２Ａ，１２Ｂを取り外し、ＬＥＤ６Ａ，６Ｂ，６Ｃと液晶ディスプレイ５を最大輝度で発光させることで、効果的に視覚的な方法でＰＨＳ端末Ａを探索することが可能である。
【００２９】
以上、本発明の一実施形態について説明したが、本発明は上記実施形態に制限されることなく、例えば以下のような変形が考えられる。
（１）上記実施形態では、リモートコマンドとして着サブアドレスを使用したが、メールを使用してリモートコマンドを受信させることも可能である。そしてメールを用いたリモートコマンドを使用することで、携帯電話などＰＨＳ端末以外の携帯端末に本発明を適用することが可能である。
【００３０】
（２）上記実施形態では、制御部７に液晶ディスプレイ５、ＬＥＤ６Ａ，６Ｂ，６Ｃを最大輝度で発光させるとしているが、本発明はこれに限定されない。例えば、近年、ＰＨＳ端末などには、カメラ機能が搭載され、その内部に光学センサが使用されているが、その光学センサで、外部の明るさを測定し、輝度の調整を行うことで、電池の無駄な消費を抑えることが可能となる。
【００３１】
（３）上記実施形態では、装飾カバー１２Ａ，１２Ｂの保持状態を維持させる永久磁石の磁力を、相殺する磁力を電磁石３Ａ，３Ｂに発生さることで装飾カバー１２Ａ，１２Ｂの保持状態の解除を行うが、本発明はこれに限定されない。電磁石の磁力によって装飾カバー１２Ａ，１２Ｂの保持状態を維持させ、電磁石への通電を停止させ、磁力を停止させることにより、装飾カバー１２Ａ，１２Ｂの保持状態の解除を行うことが出来る。
【図面の簡単な説明】
【００３２】
【図１】本実施形態に係るＰＨＳ端末Ａの機能構成を示すブロック図である。
【図２】本実施形態に係るＰＨＳ端末Ａ外観構成を示す模式図である。
【図３】本実施形態に係るＰＨＳ端末Ａの探索方法のフローチャートである。
【図４】本実施形態に係るＰＨＳ端末Ａの探索方法の模式図である。
【符号の説明】
【００３３】
Ａ，Ｂ…ＰＨＳ端末、１…通信部、２…操作部、３…保持解除部、３Ａ，３Ｂ…電磁石４…バイブレータ、５…液晶ディスプレイ、６Ａ，６Ｂ，６Ｃ…ＬＥＤ、７…制御部、８…発光部、９，１０…部分筐体、１１…ヒンジ、１２Ａ，１２Ｂ…装飾カバー
【図１】
2008252274.tif 000003
【図２】
2008252274.tif 000004
【図３】
2008252274.tif 000005
【図４】
2008252274.tif 000006